(57)【要約】【課題】  各種既設沓摺りの寸法に合わせて複数種用意する必要がなく、且つ既設沓摺りの改修作業を簡易化することができる。【解決手段】  室内側から室外側に向かって順に、室内見付け面２ａ、主沓摺り面２ｂ、戸当り３ａ、副沓摺り面３ｂおよび室外見付け面３ｃを有する既設沓摺り１の表面を覆う沓摺り用カバー１０であって、室内見付け面２ａおよび主沓摺り面２ｂを覆う第１カバー部材１１と、副沓摺り面３ｂおよび室外見付け面３ｃを覆う第２カバー部材１２と、立上り面３ａおよび副沓摺り面３ｂを覆う第３カバー部材１３と、を備え、第２カバー部材１２と第３カバー部材１３とは、副沓摺り面３ｂ上において見込み方向にオーバーラップする。【選択図】  図２
2018178513.tif 000002
【特許請求の範囲】
【請求項１】
室内側から室外側に向かって順に、室内見付け面、主沓摺り面、立上り面、副沓摺り面および室外見付け面を有する既設沓摺りの表面を覆う沓摺り用カバーであって、
前記室内見付け面および前記主沓摺り面を覆う第１カバー部材と、
前記副沓摺り面および前記室外見付け面を覆う第２カバー部材と、
前記立上り面および前記副沓摺り面を覆う第３カバー部材と、を備え、
前記第２カバー部材と前記第３カバー部材とは、前記副沓摺り面上において見込み方向にオーバーラップすることを特徴とする沓摺り用カバー。
【請求項２】
前記室内側は、浴室であり、
前記第２カバー部材は、前記副沓摺り面を覆う第２カバー本体を有し、
前記第３カバー部材は、前記副沓摺り面を覆う第３カバー本体を有すると共に、前記第３カバー本体が、前記第２カバー本体の上側に位置することを特徴とする請求項１に記載の沓摺り用カバー。
【請求項３】
前記第２カバー本体と前記第３カバー本体とは、重畳した状態で相互に接着され、
前記第３カバー本体の室外側の端部には、余剰の接着剤を受容する接着剤受容溝が設けられていることを特徴とする請求項２に記載の沓摺り用カバー。
【請求項４】
前記室内側は、浴室であり、
前記第１カバー部材は、前記立上り面側の端面が前記立上り面に当接し、
前記第３カバー部材は、前記主沓摺り面側の端面が前記第１カバー部材の端部上側に当接することを特徴とする請求項１ないし３のいずれか一項に記載の沓摺り用カバー。
【請求項５】
前記第１カバー部材は、上面に滑止め用の凹凸部を有していることを特徴とする請求項１ないし４のいずれか一項に記載の沓摺り用カバー。
【請求項６】
前記凹凸部は、見付け方向に延びる複数の凸条および／または見付け方向に延びる複数の凹条によって構成され、
前記各凸条および／または前記各凹条は、前記第１カバー部材を前記主沓摺り面の見込み寸法に合わせて切断するときの墨出し線を兼ねていることを特徴とする請求項５に記載の沓摺り用カバー。
【請求項７】
前記第１カバー部材、前記第２カバー部材および前記第３カバー部材は、いずれも合成樹脂の形材で形成されていることを特徴とする請求項１ないし６のいずれか一項に記載の沓摺り用カバー。
【請求項８】
請求項１ないし７のいずれか一項に記載の沓摺り用カバーを用いた既設沓摺りの改修方法であって、
前記第１カバー部材を前記室内見付け面および前記主沓摺り面に接着する第１施工工程と、
前記第２カバー部材を前記副沓摺り面および前記室外見付け面に接着する第２施工工程と、
前記第３カバー部材を前記立上り面および前記第２カバー部材の上面に接着する第３施工工程と、を備えたことを特徴とする既設沓摺りの改修方法。
【発明の詳細な説明】
【技術分野】
【０００１】
本発明は、浴室出入口等に設けられた既設沓摺りを覆う沓摺り用カバーおよびこれを用いた既設沓摺りの改修方法に関するものである。
【背景技術】
【０００２】
従来、この種の既設沓摺りの改修方法として、既設沓摺りに対し２つの新沓摺り板を、接着剤や両面テープ等で被着するものが知られている（特許文献１参照）。この２つの新沓摺り板は、ステンレス板等を、既設沓摺りの寸法に合わせて屈曲加工したものであり、見込み方向の中間に段部を有する沓摺りに対し、この段部で重なるように配設されている。室外側の新沓摺り板は、段部から脱衣室側の見付け面を覆い、室内側の新沓摺り板は、段部から浴室側の見付け面を覆っている。
【先行技術文献】
【特許文献】
【０００３】
【特許文献１】実開平１−１７７３８７号公報
【発明の概要】
【発明が解決しようとする課題】
【０００４】
しかしながら、既設沓摺りは、その寸法（特に見込み方向の寸法）がまちまちであるため、上記従来の構成では、各種既設沓摺りの寸法に合わせて、新沓摺り板を複数種用意する必要があった。すなわち、室外側の新沓摺り板は、段部から脱衣室側の見付け面までの寸法に合わせて、また室内側の新沓摺り板は、段部から浴室側の見付け面までの寸法に合わせて、それぞれ寸法の異なる複数種のものを用意する必要があった。よって、制作費用が高くなってしまうという問題が生じた。
これに対し、扁平な樹脂板を用意し、これを、現場加工で既設沓摺りの各面に合わせて加工し、各面に貼り付けることも考えられる。しかしながら、かかる場合、既設沓摺りの面の数だけ、加工処理（特に相互の接合部を考慮した加工処理）および貼付け処理を行う必要があり、既設沓摺りの改修作業が煩雑になってしまうという問題が生じる。
【０００５】
本発明は、各種既設沓摺りの寸法に合わせて複数種用意する必要がなく、且つ既設沓摺りの改修作業を簡易化することができる沓摺り用カバーおよびこれを用いた既設沓摺りの改修方法を提供することを課題としている。
【課題を解決するための手段】
【０００６】
本発明の沓摺り用カバーは、室内側から室外側に向かって順に、室内見付け面、主沓摺り面、立上り面、副沓摺り面および室外見付け面を有する既設沓摺りの表面を覆う沓摺り用カバーであって、室内見付け面および主沓摺り面を覆う第１カバー部材と、副沓摺り面および室外見付け面を覆う第２カバー部材と、立上り面および副沓摺り面を覆う第３カバー部材と、を備え、第２カバー部材と第３カバー部材とは、副沓摺り面上において見込み方向にオーバーラップすることを特徴とする。
【０００７】
本発明の既設沓摺りの改修方法は、上記の沓摺り用カバーを用いた既設沓摺りの改修方法であって、第１カバー部材を室内見付け面および主沓摺り面に接着する第１施工工程と、第２カバー部材を副沓摺り面および室外見付け面に接着する第２施工工程と、第３カバー部材を立上り面および第２カバー部材の上面に接着する第３施工工程と、を備えたことを特徴とする。
【０００８】
これらの構成によれば、それぞれが２面を覆う３つのカバー部材によって構成されているため、各面に樹脂板を取り付けるのに比べ、既設沓摺りの改修作業を簡易化することができる。また、各カバー部材の各部の寸法を現場加工（切断加工）で調整することで、寸法の異なる沓摺りに対し容易に対応することができる。さらに、第２カバー部材と第３カバー部材とが、副沓摺り面上において、オーバーラップする構成であるため、見込み方向の寸法が異なる複数種の副沓摺り面に対し、このオーバーラップ寸法を変えることで、対応することができる。これらのように、各種既設沓摺りの寸法に合わせてカバー部材を複数種用意する必要がなく、且つ改修作業を簡易化することができる。
【０００９】
この場合、室内側は、浴室であり、第２カバー部材は、副沓摺り面を覆う第２カバー本体を有し、第３カバー部材は、副沓摺り面を覆う第３カバー本体を有すると共に、第３カバー本体が、第２カバー本体の上側に位置することが好ましい。
【００１０】
この構成によれば、上側となる第３カバー部材のカバー本体の室外側端部が、水返しとなる立上り面より室外側に位置するため、その部分が水に触れ難く、第２カバー部材と第３カバー部材との接合部分の水密性を向上させることができる。
【００１１】
この場合、第２カバー本体と第３カバー本体とは、重畳した状態で相互に接着され、第３カバー本体の室外側の端部には、余剰の接着剤を受容する接着剤受容溝が設けられていることが好ましい。
【００１２】
この構成によれば、第２カバー本体と第３カバー本体とを接着するときに、余剰の接着剤が、第３カバー本体の室外側の端部に設けられた接着剤受容溝に入り込む。このため、第３カバー本体の室外側の端から接着剤がはみ出すことがない。したがって、はみ出した接着剤の拭取り作業を省略することができ、施工性を向上させることができる。また、接着剤受容溝に入り込んだ接着剤は、シール材としても機能し、第２カバー部材と第３カバー部材との接合部分における水密性を向上されることができる。
【００１３】
一方、室内側は、浴室であり、第１カバー部材は、立上り面側の端面が立上り面に当接し、第３カバー部材は、主沓摺り面側の端面が第１カバー部材の端部上側に当接することが好ましい。
【００１４】
この構成によれば、主沓摺り面と立上り面とが成す入隅部において、第１カバー部材の端部上側に第３カバー部材の端が乗る接合形態となる。このため、第３カバー部材を立上り面に接着する時の余剰の接着剤が、その端に回り込み易く、第１カバー部材と第３カバー部材との接合部分の水密性を向上させることができる。
【００１５】
また、第１カバー部材は、上面に滑止め用の凹凸部を有していることが好ましい。
【００１６】
この構成によれば、第１カバー部材の上面に滑止め用の凹凸部を設けたことで、第１カバー部材の上面に載せた足が滑ってしまうのを防止することができる。
【００１７】
この場合、凹凸部は、見付け方向に延びる複数の凸条および／または見付け方向に延びる複数の凹条によって構成され、各凸条および／または各凹条は、第１カバー部材を主沓摺り面の見込み寸法に合わせて切断するときの墨出し線を兼ねていることが好ましい。
【００１８】
この構成によれば、第１カバー部材を主沓摺り面の見込み寸法に合わせて切断するとき、凸条や凹条に倣って切断するようにすれば、墨出し線を描くことなく簡単なマーキングのみで、第１カバー部材を精度良く切断することができる。したがって、第１カバー部材の施工性を向上させることができる。
【００１９】
この場合、第１カバー部材、第２カバー部材および第３カバー部材は、いずれも合成樹脂の形材で形成されていることが好ましい。
【００２０】
この構成によれば、これらカバー部材の原材（定尺もの）を、現場合わせで切断することで、見付け方向の寸法が異なる複数種の既設沓摺りに対し、これに対応する各カバー部材を容易に形成することができる。
【図面の簡単な説明】
【００２１】
【図１】改修対象となる既設沓摺りを示した側面図である。
【図２】本発明の一実施形態に係る沓摺り用カバーを示した側面図である。
【図３】第１カバー部材を示した側面図（ａ）および平面図（ｂ）である。
【図４】第２カバー部材を示した側面図（ａ）および平面図（ｂ）である。
【図５】第３カバー部材を示した側面図（ａ）および平面図（ｂ）である。
【図６】既設沓摺りの改修作業を示した説明図である。
【図７】寸法が異なる沓摺りに対する沓摺り用カバーの取付け方を示した側面図である。
【発明を実施するための形態】
【００２２】
以下、添付の図面を参照して、本発明の一実施形態に係る沓摺り用カバーおよびこれを用いた既設沓摺りの改修方法について説明する。この沓摺り用カバーは、既設沓摺り（既設の沓摺り）の表面を覆うものであり、既設沓摺りの表面に取り付け、既設沓摺りを改修するためのものである。ここでは、浴室の出入口に設けられた人研ぎ（人造大理石研ぎ出し）の既設沓摺りを改修対象とし、この既設沓摺りの外観を変えるべく、沓摺り用カバーを化粧材として既設沓摺りの表面に取り付けるものを例示する。ここで、沓摺り用カバーについて説明する前に、改修対象となる既設沓摺りについて説明する。
【００２３】
図１は、改修対象となる既設沓摺り１を示した側面図である。図１に示すように、既設沓摺り１は、戸当り付きの沓摺りであり、室内側から室外側に向かって順に、室内見付け面２ａ、主沓摺り面２ｂ、戸当り面３ａ（立上り面）、副沓摺り面３ｂおよび室外見付け面３ｃを有している。具体的には、既設沓摺り１は、室内見付け面２ａおよび主沓摺り面２ｂを有する室内側の沓摺り本体２と、沓摺り本体２に対し見込み方向に連なり、戸当り面３ａ、副沓摺り面３ｂおよび室外見付け面３ｃを有する室外側の戸当り部３と、で一体に構成されている。
【００２４】
また、既設沓摺り１は、浴室の出入口に配設されたものであるため、室内側が浴室であり、室外側が脱衣室である。これに対し、主沓摺り面２ｂは、室内側（浴室側）に下り傾斜となる水勾配となっており、また、戸当り面３ａは、室内側からの水の侵入を防ぐ水返しを兼ねている。なお、本実施形態では、浴室の出入り口に設けられたドアＤが浴室側に開く内開きの構造であるため、戸当り面３ａが、上記ドアＤが突き当たる戸当りとして機能するが、上記ドアＤが脱衣室側に開く外開きの構造である場合、戸当り面３ａは、戸当りとして機能せず、単なる水返しとして機能する。なお、符号４は、沓摺り本体２の下面とその設置面との間に水が入り込まないようにするためのシール材である。
【００２５】
図２は、既設沓摺り１に取り付けた沓摺り用カバー１０を示した側面図である。図２に示すように、沓摺り用カバー１０は、合成樹脂の形材で形成された３つの「Ｌ」字状部材で構成されている。具体的には、沓摺り用カバー１０は、室内見付け面２ａおよび主沓摺り面２ｂを覆う第１カバー部材１１と、副沓摺り面３ｂおよび室外見付け面３ｃを覆う第２カバー部材１２と、戸当り面３ａおよび副沓摺り面３ｂを覆うと共に、副沓摺り面３ｂ上において第２カバー部材１２とオーバーラップする第３カバー部材１３と、を備えている。すなわち、第１カバー部材１１が、沓摺り本体２の表面を覆う「沓摺り本体カバー」を構成し、第２カバー部材１２および第３カバー部材１３が、戸当り部３の表面を被覆する「戸当り部カバー」を構成している。
【００２６】
図３は、第１カバー部材１１を示した側面図および平面図である。図２および図３に示すように、第１カバー部材１１は、室内見付け面２ａに倣って形成され、室内見付け面２ａを覆う室内見付け面被覆部２１と、主沓摺り面２ｂに倣って形成され、主沓摺り面２ｂを覆う主沓摺り面被覆部２２（第１カバー本体）と、で一体に構成されている。室内見付け面被覆部２１は、その先端部が既設沓摺り１の下面よりも下に来るように、形成されている。
【００２７】
主沓摺り面被覆部２２は、主沓摺り面２ｂに倣って傾斜しており、その表面（第１カバー部材１１の上面）が水勾配となっている。また、主沓摺り面被覆部２２の表面には、滑止め用の凹凸部２２ａが形成されている。そして、凹凸部２２ａは、見付け方向に延びる複数の凸条と、見付け方向に延びる複数の凹条とで構成され、当該複数の凸条と複数の凹条とにより、見込み方向に断面波状を為している。さらに、主沓摺り面被覆部２２は、先端側で上記ドアＤに引っかからないように、先端側の領域Ｅ１が、基端側の領域Ｅ２より薄厚になっている（図３参照）。なお、主沓摺り面被覆部２２は、現場加工によって見込み寸法を調整可能に構成されており、既設沓摺り１の改修作業時において寸法合わせが可能となっている。主沓摺り面被覆部２２は、その戸当り面３ａ側の端面が、戸当り面３ａに当接するように加工される。
【００２８】
図４は、第２カバー部材１２を示した側面図および平面図である。図２および図４に示すように、第２カバー部材１２は、副沓摺り面３ｂに倣って形成され、副沓摺り面３ｂを覆う副沓摺り面被覆部３１（第２カバー本体）と、室外見付け面３ｃに倣って形成され、室外見付け面３ｃを覆う室外見付け面被覆部３２と、で一体に構成されている。室外見付け面被覆部３２は、その先端部が既設沓摺り１の下面よりも下に来るように、形成されている。
【００２９】
図５は、第３カバー部材１３を示した側面図および平面図である。図２および図５に示すように、第３カバー部材１３は、戸当り面３ａに倣って形成され、戸当り面３ａを覆う戸当り面被覆部４１と、副沓摺り面３ｂに倣って形成され、副沓摺り面３ｂを覆う副沓摺り面被覆部４２（第３カバー本体）と、で一体に構成されている。なお、戸当り面被覆部４１は、現場加工によって高さ寸法を調整可能に構成されており、既設沓摺り１の改修作業時において寸法合わせが可能となっている。戸当り面被覆部４１は、その主沓摺り面２ｂ側の端面が、主沓摺り面被覆部２２の端部上側に当接するように加工される。
【００３０】
また、第３カバー部材１３の副沓摺り面被覆部４２は、第２カバー部材１２の副沓摺り面被覆部３１の上側に位置し、副沓摺り面３ｂ上において、第２カバー部材１２の副沓摺り面被覆部３１と重畳する。すなわち、第３カバー部材１３の副沓摺り面被覆部４２と第２カバー部材１２の副沓摺り面被覆部３１とは、副沓摺り面３ｂ上において見込み方向にオーバーラップする。本沓摺り用カバー１０では、このオーバーラップ寸法を調整することで、見込み寸法の異なる各種副沓摺り面３ｂに対応できるようになっている。すなわち、第２カバー部材１２と第３カバー部材１３とから成る「戸当り部カバー」は、副沓摺り面被覆部３１、４２同士のオーバーラップ寸法を調整することで、見込み寸法が調整自在となっている。
【００３１】
第２カバー部材１２および第３カバー部材１３を既設沓摺り１に取り付けるとき、第２カバー部材１２の副沓摺り面被覆部３１と第３カバー部材１３の副沓摺り面被覆部４２とは、重畳した状態で相互に接着される。これに係り、副沓摺り面被覆部４２の室外側の端部裏面には、余剰の接着剤を受容する接着剤受容溝４２ａが設けられている。接着剤受容溝４２ａは、当該端部裏面において見付け方向に延在して形成されており、第２カバー部材１２および第３カバー部材１３を既設沓摺り１に接着したときに生じた余剰の接着剤が、この部分からはみ出すのを防止している。
【００３２】
次に図６を参照して、既設沓摺り１の改修作業（改修方法）について説明する。この既設沓摺り１の改修作業は、接着剤によって、沓摺り用カバー１０を既設沓摺り１に取り付ける（接着する）ものである。
【００３３】
図６（ａ）に示すように、既設沓摺り１の改修動作では、まず、各カバー部材１１、１２，１３（原材）を、現場加工で、既設沓摺り１の各寸法に合わせて加工する（寸法合わせ）。
【００３４】
具体的には、第１カバー部材１１の主沓摺り面被覆部２２を、主沓摺り面２ｂの見込み寸法に合わせて加工し、主沓摺り面被覆部２２の見込み寸法を調整する。また、第３カバー部材１３の戸当り面被覆部４１を、戸当り面３ａの高さ寸法に合わせて加工し、戸当り面被覆部４２の高さ寸法を調整する。このとき、主沓摺り面被覆部２２の戸当り面３ａ側の端面が戸当り面３ａに当接し、戸当り面被覆部４１の主沓摺り面２ｂ側の端面が、主沓摺り面被覆部２２の端部上側に当接するように、主沓摺り面被覆部２２および戸当り面被覆部４１を加工する。
さらに、各カバー部材１１、１２、１３を、既設沓摺り１の見付け寸法に合わせて加工し、各カバー部材１１、１２、１３の見付け寸法を調整する（図示省略）。このとき、各カバー部材１１、１２、１３における見付け方向端部を、既設沓摺り１の見付け方向端部の形状に合わせて加工することが好ましい。
【００３５】
各カバー部材１１、１２、１３を加工したら、図６（ｂ）に示すように、第１カバー部材１１を沓摺り本体２に接着する（第１施工工程）。すなわち、第１カバー部材１１における室内見付け面被覆部２１および主沓摺り面被覆部２２の裏面に接着剤を塗布し、室内見付け面被覆部２１を室内見付け面２ａに、主沓摺り面被覆部２２を主沓摺り面２ｂに貼り付ける。
【００３６】
第１カバー部材１１を沓摺り本体２に接着したら、次に、図６（ｃ）に示すように、第２カバー部材１２を戸当り部３に接着する（第２施工工程）。すなわち、第２カバー部材１２における副沓摺り面被覆部３１および室外見付け面被覆部３２の裏面に接着剤を塗布し、副沓摺り面被覆部３１を副沓摺り面３ｂに、室外見付け面被覆部３２を室外見付け面３ｃに貼り付ける。
【００３７】
第２カバー部材１２を戸当り部３に接着したら、最後に、図６（ｄ）に示すように、第３カバー部材１３を、第２カバー部材１２の上から戸当り部３に接着する（第３施工工程）。すなわち、第３カバー部材１３における戸当り面被覆部４１および副沓摺り面被覆部４２の裏面に接着剤を塗布し、戸当り面被覆部４１を戸当り面３ａの表面に、副沓摺り面被覆部４２を第２カバー部材１２の上面（副沓摺り面被覆部３１の表面）に貼り付ける。これにより、第２カバー部材１２の副沓摺り面被覆部３１と第３カバー部材１３の副沓摺り面被覆部４２とが、重畳した状態で相互に接着される。これらによって、既設沓摺り１の表面が沓摺り用カバー１０に覆われ、本改修作業を終了する。
【００３８】
以上、上記実施形態によれば、それぞれが２面を覆う３つのカバー部材１１、１２、１３によって構成されているため、各面に樹脂板を取り付けるのに比べ、既設沓摺り１の改修作業を簡易化することができる。また、各カバー部材１１、１２、１３の各部の寸法を現場加工（切断加工）で調整することで、寸法の異なる沓摺りに対し容易に対応することができる。さらに、第２カバー部材１２と第３カバー部材１３とが、副沓摺り面３ｂ上において、オーバーラップする構成であるため、図７に示すように、見込み方向の寸法が異なる複数種の副沓摺り面３ｂに対し、このオーバーラップ寸法を変えることで、対応することができる。これらのように、各種既設沓摺りの寸法に合わせてカバー部材１１、１２、１３を複数種用意する必要がなく、且つ改修作業を簡易化することができる。
【００３９】
また、第３カバー部材１３の副沓摺り面被覆部４２が、第２カバー部材１２の副沓摺り面被覆部３１の上側となる構成であるため、上側となる第３カバー部材１３の副沓摺り面被覆部４２の室内側端部が、水返しとなる戸当り面３ａより室外側に位置する構成となり、その部分が水に触れ難い。これによって、第２カバー部材１２と第３カバー部材１３との接合部分の水密性を向上させることができる。
【００４０】
さらに、第３カバー部材１３の副沓摺り面被覆部４２における室外側の端部に、接着剤受容溝４２ａを設けたことで、当該副沓摺り面被覆部４２と第２カバー部材１２の副沓摺り面被覆部３１とを接着するときに、余剰の接着剤が接着剤受容溝４２ａに入り込む。そのため、第３カバー部材１３の副沓摺り面被覆部４２の室外側の端から接着剤がはみ出すことがない。したがって、はみ出した接着剤の拭取り作業を省略することができ、施工性を向上させることができる。また、接着剤受容溝４２ａに入り込んだ接着剤は、シール材としても機能し、第２カバー部材１２と第３カバー部材１３との接合部分における水密性を向上されることができる。
【００４１】
またさらに、第１カバー部材１１の戸当り面３ａ側の端面が戸当り面３ａに当接し、第３カバー部材１３の主沓摺り面２ｂ側の端面が第１カバー部材１１の端部上側に当接する構成であるため、主沓摺り面２ｂと戸当り面３ａとが成す入隅部において、第１カバー部材１１の端部上側に第３カバー部材１３の端が乗る接合形態となる。このため、第３カバー部材１３を戸当り面３ａに接着する時の余剰の接着剤が、その端に回り込み易く、第１カバー部材１１と第３カバー部材１３との接合部分の水密性を向上させることができる。
【００４２】
また、第１カバー部材１１の上面に滑止め用の凹凸部２２ａを設けたことで、この部分に載せた足が滑ってしまうのを防止することができる。
【００４３】
さらに、凹凸部２２ａを、墨出し線を兼ねる複数の凸条および複数の凹条によって構成したことで、第１カバー部材１１を主沓摺り面２ｂの見込み寸法に合わせて切断するとき、凸条や凹条に倣って切断するようにすれば、墨出し線を描くことなく簡単なマーキングのみで、第１カバー部材１１を精度良く切断することができる。したがって、第１カバー部材１１の施工性を向上させることができる。
【００４４】
またさらに、各カバー部材１１、１２、１３を合成樹脂の形材で形成してことにより、これら各カバー部材１１、１２、１３の原材（定尺もの）を、現場合わせで切断することで、見付け方向の寸法が異なる複数種の既設沓摺り１に対し、これに対応する各カバー部材１１、１２、１３を容易に形成することができる。
【００４５】
また、合成樹脂製の沓摺り用カバー１０で、人研ぎの既設沓摺り１を覆う構成であるため、既設沓摺り１の見た目を改善することができる。特に、人研ぎ等の石材の既設沓摺り１は、冷たい（温度が低い）イメージをあり、見た目上において冷たい印象を与える。これに対し、石材の既設沓摺り１を、合成樹脂製の沓摺り用カバー１０で覆うことで、見た目上の冷たい印象を改善することができる。
【００４６】
なお、上記実施形態においては、複数の凸条と複数の凹条とから成る断面波状の凹凸部２２ａを採用したが、複数の凸条のみから成る凹凸部２２ａを採用する構成であっても良いし、複数の凹条のみから成る凹凸部２２ａを採用する構成であっても良い。
【００４７】
また、上記実施形態においては、第３カバー部材１３を上にして、第２カバー部材１２と第３カバー部材１３とを重畳させる構成であったが、第２カバー部材１２を上にして、第２カバー部材１２と第３カバー部材１３とを重畳させる構成であっても良い。かかる場合、接着剤受容溝４２ａは、第３カバー部材１３の表面側に形成される。
【００４８】
さらに、上記実施形態においては、既設沓摺り１の外観を変えることを目的として、沓摺り用カバー１０を既設沓摺り１に被覆する構成であったが、これに限るものではない。例えば、破損した既設沓摺り１の改修を目的として、沓摺り用カバー１０を既設沓摺り１に被覆する構成であっても良い。
【００４９】
またさらに、上記実施形態においては、各カバー部材１１、１２、１３を、合成樹脂の形材で形成したが、これに限るものではない。例えば、各カバー部材１１、１２、１３を、金属材料やゴム材料等で形成しても良い。
【００５０】
また、上記実施形態においては、接着剤によって、沓摺り用カバー１０（各カバー部材１１、１２、１３）を既設沓摺り１に取り付ける構成であったが、両面テープによって、沓摺り用カバー１０（各カバー部材１１、１２、１３）を既設沓摺り１に取り付ける構成であっても良い。
【符号の説明】
【００５１】
１：既設沓摺り、  ２ａ：室内見付け面、  ２ｂ：主沓摺り面、  ３ａ：戸当り面、  ３ｂ：副沓摺り面、  ３ｃ：室外見付け面、  １０：沓摺り用カバー、  １１：第１カバー部材、  １２：第２カバー部材、  １３：第３カバー部材、  ２２ａ：凹凸部、  ３１：副沓摺り面被覆部、  ３２：副沓摺り面被覆部、  ４２ａ：接着剤受容溝
【図１】
2018178513.tif 000003
【図２】
2018178513.tif 000004
【図３】
2018178513.tif 000005
【図４】
2018178513.tif 000006
【図５】
2018178513.tif 000007
【図６】
2018178513.tif 000008
【図７】
2018178513.tif 000009